(57)【要約】【課題】１種類のサイズのイヤーピースで、いろいろなサイズや形状の耳甲介腔及び外耳道に対応でき、装着性を向上すると共に、良好な音の再現性を得る。【解決手段】密閉型イヤホンのイヤーピース３０は、耳介内に位置する耳甲介腔とこの耳甲介腔に連なる外耳道を有する外耳に挿入される外皮４０と、この外皮４０の先端から内側に延設され、イヤホン本体の音導管が着脱自在に挿着される円筒状の内皮５０と、を有している。外皮４０は、外耳道の口径に対応した先細りの略円錐台筒形状をなし、その外耳道に挿入される外耳道挿入部４１と、この外耳道挿入部４１の後端側に所定の長さに延設され、耳甲介腔に挿入される略円筒形状の耳甲介腔挿入部４２と、を有している。内皮５０の先端開口部５１に、先端に向かって口径が広がった拡径部５２が形成されている。【選択図】図１
0003218417.tif 000002
【実用新案登録請求の範囲】
【請求項１】
耳介内に位置する耳甲介腔と前記耳甲介腔に連なる外耳道を有する外耳に挿入される外皮と、
前記外皮の先端から内側に延設され、イヤホン本体の音導管が着脱自在に挿着される円筒状の内皮と、
を有するイヤーピースであって、
前記外皮は、
前記外耳道の口径に対応した先細りの略円錐台筒形状をなし、前記外耳道に挿入される外耳道挿入部と、
前記外耳道挿入部の後端側に所定の長さに延設され、前記耳甲介腔に挿入される略円筒形状の耳甲介腔挿入部と、
を有し、
前記内皮の先端開口箇所に、先端に向かって口径が広がった拡径部が形成されている、
ことを特徴とするイヤーピース。
【請求項２】
前記拡径部の基部の厚みは、前記内皮の後方の部位に比べて薄くなっている、
ことを特徴とする請求項１記載のイヤーピース。
【請求項３】
前記耳甲介腔挿入部は、
先端側の口径に比べて後端側の口径が小さくなっている、
ことを特徴とする請求項１記載のイヤーピース。
【請求項４】
前記耳甲介腔挿入部は、
先端側の口径に比べて後端側の口径が小さくなっている、
ことを特徴とする請求項２記載のイヤーピース。
【請求項５】
前記外皮及び前記内皮は、
シリコーンゴムを含む弾性材により、
形成されていることを特徴とする請求項１〜４のいずれか１項記載のイヤーピース。
【請求項６】
請求項１〜５のいずれか１項記載のイヤーピースと、
前記イヤーピースが着脱自在に装着される前記音導管を有し、音信号を音波に変換して前記音導管から前記イヤーピースへ放出するイヤホン本体と、
を備えることを特徴とする密閉型イヤホン。
【考案の詳細な説明】
【技術分野】
【０００１】
本考案は、イヤホン（例えば、カナル型イヤホンと言われる密着型イヤホン）に装着される外耳挿入用のイヤーピースと、それを用いたイヤホンに関するものである。
【背景技術】
【０００２】
図６は、イヤホンが挿入される外耳の構造を示す概略の斜視図である。
耳は、大きく分けて、外耳１０、図示しない中耳及び内耳により構成されている。外耳１０は、顔の横から突き出して音波を集める耳介１１と、この耳介１１の中心から中耳側の鼓膜までの約２．５ｃｍ〜３ｃｍ程度の長さの湾曲した外耳道１３と、により構成されている。外耳道１３は、耳介１１で集められた音波を鼓膜まで伝えることと、高音域の音波を増幅して聞き取りやすくする機能を有している。耳介１１内の中心の窪んだ部位には、耳甲介腔１２が形成され、この耳甲介腔１２に、外耳道１３が連なっている。
【０００３】
従来、例えば、特許文献１，２に記載されているように、携帯音楽プレーヤ等に接続されて音楽等を再生するためのイヤホンの一つに、密閉型イヤホンが知られている。密閉型イヤホンは、外耳１０内の外耳道１３に挿入するものであり、軽量であって携帯性に優れている。
【０００４】
密閉型イヤホンは、例えば、電気信号である音信号を音波に変換する電気／音波変換器（以下「ドライバユニット」という。）を収容した筐体であるハウジングと、このハウジングに突設され、ドライバユニットから出力された音波を放出する筒状の音導管と、この音導管に装着された弾性材からなるイヤーピースと、外部機器からの音信号をドライバユニットに供給するコードと、を有している。そして、音導管に装着されたイヤーピースを外耳道１３に挿入して使用するような構成になっている。
【先行技術文献】
【特許文献】
【０００５】
【特許文献１】特開２０１１−１５１７９３号公報
【特許文献２】特開２０１３−３８７５６号公報
【考案の概要】
【考案が解決しようとする課題】
【０００６】
しかしながら、従来のイヤーピース及びそれを用いた密閉型イヤホンでは、以下の（ａ）〜（ｃ）のような課題があった。
（ａ）  弾性材からなるイヤーピースは、外耳道１３との密着性が良いので、密閉性に優れ、音が外部に漏れ難いという利点がある。しかし、一つの寸法（サイズ）のイヤーピースで、いろいろなサイズの外耳道１３に対応できないので、大、中、小といった数種類のサイズのイヤーピースを用意しなければならず、不便である。
（ｂ）  耳甲介腔１２とこれに連なる外耳道１３は、通常、湾曲しているので、その耳甲介腔１２及び外耳道１３にイヤーピースを挿入すると、イヤーピースの先端部分が湾曲して先端開口部が狭くなることがある。イヤーピースの先端開口部が狭くなると、放出される音波の一部が遮断されるので、音波の高音域（例えば、１５ｋＨｚ付近）の感度が低下して音の再現性が低下する。
（ｃ）  イヤーピース挿入中に、振動や外耳道１３付近の蒸れ等によって外れ易くなり、装着性が低下する。
このように、従来のイヤーピース及びそれを用いた密閉型イヤホンは、使用者が十分満足できるものではなかった。
【課題を解決するための手段】
【０００７】
本考案のイヤーピースは、耳介内に位置する耳甲介腔と前記耳甲介腔に連なる外耳道を有する外耳に挿入される外皮と、前記外皮の先端から内側に延設され、イヤホン本体の音導管が着脱自在に挿着される円筒状の内皮と、を有するイヤーピースであって、前記外皮は、前記外耳道の口径に対応した先細りの略円錐台筒形状をなし、前記外耳道に挿入される外耳道挿入部と、前記外耳道挿入部の後端側に所定の長さに延設され、前記耳甲介腔に挿入される略円筒形状の耳甲介腔挿入部と、を有し、前記内皮の先端開口箇所に、先端に向かって口径が広がった拡径部が形成されている、ことを特徴とする。
【０００８】
例えば、前記拡径部の基部の厚みは、前記内皮の後方の部位に比べて薄くなっていても良い。又、前記耳甲介腔挿入部は、先端側の口径に比べて後端側の口径が小さくなっていても良い。
【０００９】
本考案の密閉型イヤホンは、前記イヤーピースと、前記イヤーピースが着脱自在に装着される音導管を有し、音信号を音波に変換して前記音導管から前記イヤーピースへ放出するイヤホン本体と、を備えることを特徴とする。
【考案の効果】
【００１０】
本考案のイヤーピース及びそれを用いた密閉型イヤホンによれば、次の（Ａ）〜（Ｄ）のような効果がある。
（Ａ）  外耳道挿入部の先細りの傾斜が、外耳道のサイズに対応しているので、１種類のサイズのイヤーピースで、いろいろなサイズの外耳道に対応できる。
（Ｂ）  耳甲介腔挿入部が形成されているので、耳甲介腔に収まりやすく、イヤホン本体の保持に優れる。
（Ｃ）  イヤーピースの先端開口部に拡径部が形成されているので、イヤーピース先端部が湾曲しても、イヤーピースの先端開口部が塞がることがないので、音波の高音域（例えば、１５ｋＨｚ付近）の感度低下がなく、良好な音の再現性が得られる。
（Ｄ）  例えば、拡径部の基部の厚みを、内皮の後方の部位に比べて薄くすれば、外皮全体が湾曲し易くなり、多様な形状の耳甲介腔及び外耳道に対応できる。
【図面の簡単な説明】
【００１１】
【図１】本考案の実施例１におけるイヤーピースを示す構成図
【図２】図１のイヤーピースが装着された密閉型イヤホンの正面図
【図３】図２の平面図
【図４】図２の底面図
【図５】図２の縦断面図
【図６】イヤホンが挿入される外耳の構造を示す斜視図
【考案を実施するための形態】
【００１２】
本考案を実施するための形態は、以下の好ましい実施例の説明を添付図面と照らし合わせて読むと、明らかになるであろう。但し、図面はもっぱら解説のためのものであって、本考案の範囲を限定するものではない。
【実施例１】
【００１３】
（実施例１の構成）
図１（ａ）、（ｂ）は、本考案の実施例１におけるイヤーピースを示す構成図であり、同図（ａ）は正面図、及び同図（ｂ）はその正面図の縦断面図である。図２は、図１のイヤーピースが装着された密閉型イヤホンの構成例を示す正面図、図３は、図２の平面図、図４は、図２の底面図、及び、図５は、図２の縦断面図である。
【００１４】
図２〜図５に示すように、本実施例１の密閉型イヤホン１９は、音波を発生するイヤホン本体２０と、このイヤホン本体２０に装着されて音波を外耳道１３へ導くイヤーピース３０と、により構成されている。イヤホン本体２０は、音響部品収納用のハウジング２１を有している。ハウジング２１は、例えば、音波出力側の前（フロント）ハウジング２１ａと、このフロントハウジング２１ａの背面側の後（リヤ）ハウジング２１ｂと、を有し、これらのフロントハウジング２１ａとリヤハウジング２１ｂとが、接着剤等により合掌状態に接合される構造になっている。フロントハウジング２１ａの前面には、略円筒形状の音導管２２が突設され、更に、リヤハウジング２１ｂの底面に、コード引出孔２３が形成されている。
【００１５】
フロントハウジング２１ａとリヤハウジング２１ｂとの接合箇所付近のそのフロントハウジング２１ａの内部には、電気／音波変換器であるドライバユニット２４が固定されている。ドライバユニット２４は、例えば、音信号により振動板を振動させて音波に変換し、この音波を音導管２２へ出力するものである。
【００１６】
音導管２２は、ドライバユニット２４から出力された音波を所定方向に導いて放出するものであり、外周面の中程に、環状係合部（例えば、環状凹部）２２ａが形成され、この環状凹部２２ａの後方に、小口径の通気孔２２ｂが形成されている。音導管２２の放出側の先端開口部内には、塵埃侵入防止用のフィルタ２５が装着されている。音導管２２の環状凹部２２ａ付近には、イヤーピース３０が着脱自在に装着されている。
【００１７】
図５及び図１に示すように、イヤーピース３０は、略傘形の外皮４０と、この外皮４０の先端から内側に延設された円筒状の内皮５０と、を有し、弾性材により形成されている。外皮４０は、耳介１１内に位置する耳甲介腔１２とこの耳甲介腔１２に連なる外耳道１３を有する外耳１０に挿入されるものである。内皮５０は、音導管２２が着脱自在に挿着されるものである。
【００１８】
外皮４０は、外耳道１３の口径に対応した先細りの略円錐台筒形状をなし、その外耳道１３に挿入される外耳道挿入部４１と、この外耳道挿入部４１の後端側に所定の長さに延設され、耳甲介腔１２に挿入される略円筒形状の耳甲介腔挿入部４２と、を有している。耳甲介腔挿入部４２は、先端側の口径に比べて後端側の口径が小さくなっている。
【００１９】
外皮４０のサイズは、例えば、次の通りである。
イヤーピース３０の中心軸方向における外耳道挿入部４１の長さ；
６．２ｍｍ
イヤーピース３０の中心軸方向における耳甲介腔挿入部４２の長さ；
３．８ｍｍ
外皮４０の肉厚；０．５ｍｍ
外皮４０の先端開口部の外径；７．０ｍｍ
外皮４０の後端開口部の外径；１２．２ｍｍ
【００２０】
内皮５０の先端開口部５１内には、先端に向かって口径が広がった先端側の拡径部５２が形成されている。先端側の拡径部５２の基部５２ａの厚みは、内皮５０の後方の部位に比べて薄くなっている。内皮５０の内周面の後端側には、音導管２２側の環状凹部２２ａと係合する環状係合部（例えば、環状凸部）５３が形成されている。更に、内皮５０の後端開口部５４内には、後端に向かって口径が広がった後端側の拡径部５５が形成されている。後端側の拡径部５５は、音導管２２の挿入を容易にするための傾斜面である。
【００２１】
内皮５０のサイズは、例えば、次の通りである。
先端側の拡径部５２の先端方向への広がり角度；３０°
基部５２ａの内径；４．６ｍｍ
内皮５０の内周面中央の内径；４．０ｍｍ
内皮５０の内周面中央の肉厚；１．５ｍｍ
後端開口部５４の内径；４．６ｍｍ
後端側の拡径部５５の基部の内径；３．５ｍｍ
【００２２】
イヤーピース３０を形成している弾性材は、腰が強くて形状反発力の強い材質のものを用いると、内皮５０の先端開口部５１の潰れによる音質劣化を防止しつつ、耳甲介腔１２及び外耳道１３へのフィット感を高めて安定した装着性と音質を保持できる。弾性材の材料は、ゴム、合成樹脂等の種々のものが使用可能であるが、耐候性、耐熱性に優れ、人体への影響が無いことから、例えば、硬度４０度程度のシリコーンゴム等が好ましい。なお、外皮４０と内皮５０の形成材料は、同一の弾性材及び同一の硬度でも良いが、使用時において、音導管２２からの離脱を防止するために、外皮４０に比べて内皮５０の形成材料の硬度を大きく（堅く）しても良い。
【００２３】
（実施例１の動作）
本実施例１のイヤホン１９を使用する場合、イヤーピース３０の外皮４０を使用者の外耳道１３内へ挿入する。すると、イヤーピース３０の外皮４０が、耳甲介腔１２を通して外耳道１３の周壁に案内されながら円滑に挿入される。外皮４０の外耳道挿入部４１が外耳道１３の周壁に密着され、耳甲介腔挿入部４２が耳甲介腔１２に収まって、イヤホン１９が外耳１０に挿着される。
【００２４】
オーディオ機器等から出力される音信号が、コード引出孔２３から引き出された図示しないコードを通してイヤホン１９に入力されると、ドライバユニット２４内の振動板が振動して音波に変換され、この音波が音導管２２及びイヤーピース３０の内皮５０を通して使用者の外耳道１３へ放出され、鼓膜へと導かれる。
【００２５】
（実施例１の効果）
本実施例１のイヤーピース３０及びそれを用いた密閉型イヤホン１９によれば、次の（ａ）〜（ｅ）のような効果がある。
（ａ）  イヤーピース３０における外耳道挿入部４１の先細りの傾斜が、外耳道１３のサイズに対応しているので、１種類のサイズのイヤーピース３０で、いろいろなサイズの外耳道１３に対応できる。
（ｂ）  イヤーピース３０に耳甲介腔挿入部４２が形成されているので、耳甲介腔１２に収まりやすく、イヤホン本体２０の保持に優れる。耳甲介腔挿入部４２は、先端側の口径に比べて後端側の口径が小さくなっているので、耳甲介腔１２との装着性が向上する。
（ｃ）  イヤーピース３０の先端開口部５１に拡径部５２が形成されている。そのため、イヤーピース先端部が湾曲しても、イヤーピース３０の先端開口部５１が塞がることがないので、音波の高音域（例えば、１５ｋＨｚ付近）の感度低下がなく、良好な音の再現性が得られる。
（ｄ）  先端側の拡径部５２の基部５２ａの厚みが、内皮５０の後方の部位に比べて薄くなっているので、外皮４０の全体が湾曲し易くなり、多様な形状の耳甲介腔１２及び外耳道１３に対応できる。
（ｅ）  イヤホン挿着時において、音導管２２の一部に形成された小さな通気孔２２ｂにより、微量の外気が外耳道１３内に入るので、外耳１０への圧迫感が軽減されると共に平行感覚の低下が抑制され、装着感が向上する。
（実施例１の変形例）
【００２６】
本考案は、上記実施例１に限定されず、種々の利用形態や変形が可能である。この利用形態や変形例としては、例えば、次の（１）〜（３）のようなものがある。
（１）  音導管２２とイヤーピース３０とは、環状凹部２２ａと環状凸部５３との嵌合によって両者が係合されているが、その凹凸形状を逆にしたり、或いは、螺合等の他の係合構造に変更しても良い。
（２）  イヤーピース３０の全体の形状、サイズ及び構造を図示以外のものに変更しても良い。例えば、外皮４０の外周面に、環状の凹凸溝を形成しても良い。これにより、蒸れにくく、摩擦で外れ難くなって装着性が向上する。
（３）  イヤホン本体２０におけるハウジング２１、音導管２２、及びドライバユニット２４を図示以外の形状や構造に変更しても良い。
【符号の説明】
【００２７】
１０      外耳
１１      耳介
１２      耳甲介腔
１３      外耳道
１９      密閉型イヤホン
２０      イヤホン本体
２１      ハウジング
２２      音導管
２２ａ      環状凹部
２４      ドライバユニット
３０      イヤーピース
４０      外皮
４１      外耳道挿入部
４２      耳甲介腔挿入部
５０      内皮
５１      先端開口部
５２      拡径部
５２ａ      基部
５３      環状凸部
【図１】
0003218417.tif 000003
【図２】
0003218417.tif 000004
【図３】
0003218417.tif 000005
【図４】
0003218417.tif 000006
【図５】
0003218417.tif 000007
【図６】
0003218417.tif 000008